(57)【要約】【課題】防汚性の向上がより一層効果的に、かつより一層簡便に実現され、また、高温状態にある調理機器を直置きしても、調理機器の底部の裏面からの伝熱による調理機器の跡が表面に目立ちにくいキッチン部材を提供すること。【解決手段】キッチン部材１は、熱硬化性樹脂に充填材および撥水撥油剤が少なくとも添加された樹脂組成物の成型品であり、表面２が樹脂組成物のみから形成され、表面の断面は、三角波状に凹凸した山部２ａと谷部２ｂを有し、山部は、輪郭線３が表面の外側に膨らむ曲線状の形状を有している。【選択図】図１
2018047139.tif 000002
【特許請求の範囲】
【請求項１】
熱硬化性樹脂に充填材および撥水撥油剤が少なくとも添加された樹脂組成物の成型品であるキッチン部材であって、
前記キッチン部材は、その表面が前記樹脂組成物のみから形成され、
前記表面の断面は、三角波状に凹凸した山部と谷部を有し、
前記山部は、その輪郭線が前記表面の外側に膨らむ曲線状の形状を有している
ことを特徴とするキッチン部材。
【請求項２】
前記表面の前記断面における最高位と最低位の高低差が50μm以上400μm以下の範囲内であることを特徴とする請求項１に記載のキッチン部材。
【請求項３】
前記谷部では、その輪郭線が、前記表面の内側に膨らむ曲線状であることを特徴とする請求項１または２に記載のキッチン部材。
【請求項４】
前記山部と前記谷部のそれぞれ一つを一組とした場合、この組が、前記表面において、5cm角の中に500組以上2000組以下の範囲内にあることを特徴とする請求項１から３のいずれか一項に記載のキッチン部材。
【請求項５】
前記キッチン部材の色が濃厚色であることを特徴とする請求項１から４のいずれか一項に記載のキッチン部材。
【請求項６】
前記樹脂組成物は、繊維状の補強材が配合された繊維強化プラスチックであることを特徴とする請求項１から５のいずれか一項に記載のキッチン部材。
【発明の詳細な説明】
【技術分野】
【０００１】
本発明は、いわゆる人工大理石と呼ばれる樹脂成型品によるキッチン部材に関する。
【背景技術】
【０００２】
天然の大理石の風合い、たとえば、柄、艶やかさなどの高級感を醸し出す前記人工大理石が、たとえば、キッチンに設置される厨房装置の天板などの部材（以下、キッチン部材と記す）に採用されている。前記人工大理石は、主剤となる熱硬化性樹脂に、無機充填材、低収縮剤、顔料などが配合され、注型成形などによって所定の形状に成形され、キッチン部材を形成する。このような人工大理石によるキッチン部材は、樹脂成形品であることから、天然の大理石に比べ、比較的安価であり、加工性、施工性、耐温水性、強度、耐候性などにおいて優れた物性を有している。
【０００３】
本出願人も、たとえば、後記特許文献１において、前記人工大理石とこれを用いたキッチンカウンターを提案している。具体的には、特許文献１に記載された人工大理石は、樹脂成分と無機充填材を含み、成形加工した表面に、一端に−ＣＦ3基を有し、他端にクロロシリル基またはアルコキシシリル基を有するシラン系界面活性剤が化学結合したものである。また、特許文献１に記載された人工大理石は、その表面に粗さが500μmを超えない微細な凹凸を形成したものでもある。
【０００４】
特許文献１に記載された人工大理石によれば、前記表面に露出するフッ化炭素基がもたらす表面自由エネルギーの低下と、前記表面に形成された微細な前記凹凸との相乗効果により撥水性が向上する。このため、汚れ成分に対して前記人工大理石は低活性となり、防汚性が向上し、汚れ成分の前記人工大理石の前記表面への付着が低減される。その結果、汚れ成分を餌とする細菌やカビの繁殖を抑制することができる。
【先行技術文献】
【特許文献】
【０００５】
【特許文献１】特開2001−190344号公報
【発明の概要】
【発明が解決しようとする課題】
【０００６】
しかしながら、特許文献１に記載された人工大理石は、前述のとおり、防汚性の向上を図ったものではあるが、その表面に微細な前記凹凸が形成されているため、その谷部に前記汚れ成分が貯留したとしても、汚れの発生をより一層効果的に実現する改善が望まれる。
【０００７】
また、特許文献１に記載された人工大理石は、注型成形して得た樹脂成形品の表面を主にサンドブラスト法によって研磨して前記凹凸を形成した後、化学吸着液に浸漬してシラン系界面活性剤を前記表面に化学結合させて製造される。このため、特許文献１に形成された人工大理石の製造方法は、注型成形後に研磨およびコーティングという表面加工を必要としており、製造方法として必ずしも簡便であるとは言い切れない。
【０００８】
さらに、特許文献１に記載された人工大理石は、前記熱硬化性樹脂を主剤とするものであり、前述のとおり、耐温水性をある程度は有する。しかしながら、キッチン部材として適用する場合、加熱調理器で使用したフライパン、鍋などの調理器具を高温状態のままキッチン部材に直置きすることはできにくい。キッチン部材において前記調理器具の底面と接触する部分は、前記調理器具からの伝熱によって変性などし、焼け焦げなどとなってキッチン部材の前記表面に跡がついてしまうのが通常であった。このため、キッチン部材の上に熱い前記調理器具を置くときには、鍋敷きなどの前記調理器具からの伝熱を抑制する補助用具をキッチン部材の前記表面に下敷きするのが賢明であった。
【０００９】
本発明は、以上のとおりの事情に鑑みてなされたものであり、防汚性の向上がより一層効果的に、かつより一層簡便に実現され、また、高温状態にある調理機器を直置きしても、調理機器の底部の裏面からの伝熱による調理機器の跡が表面に目立ちにくいキッチン部材を提供することを課題としている。
【課題を解決するための手段】
【００１０】
前記課題を解決するために、本発明のキッチン部材は、熱硬化性樹脂に充填材および撥水撥油剤が少なくとも添加された樹脂組成物の成型品であるキッチン部材であって、前記キッチン部材は、その表面が前記樹脂組成物のみから形成され、前記表面の断面は、三角波状に凹凸した山部と谷部を有し、前記山部は、その輪郭線が前記表面の外側に膨らむ曲線状の形状を有していることを特徴としている。
【発明の効果】
【００１１】
本発明のキッチン部材によれば、防汚性の向上がより一層効果的に、かつより一層簡便に実現され、また、高温状態にある調理機器を直置きしても、調理機器の底部の裏面からの伝熱による調理機器の跡が表面に目立ちにくくなる。
【図面の簡単な説明】
【００１２】
【図１】本発明のキッチン部材の一実施形態であるキッチンカウンターの一例を示した斜視図である。
【図２】図１に示したキッチンカウンターのＡ−Ａ矢視断面図である。
【図３】他のキッチンカウンターを図２と同様に示した要部断面図である。
【図４】（ａ）は、図１に示したキッチンカウンターを含むキッチン部材の製造に用いられる成形用の金型の一例を示した概略断面図であり、（ｂ）は、（ａ）に示した成形用の金型の下型を模式的に示した要部断面図である。
【図５】（ａ）（ｂ）は、それぞれ、図４（ｂ）に示した下型を作製するプロセスを模式的に示した要部工程断面図である。
【発明を実施するための形態】
【００１３】
図１は、本発明のキッチン部材の一実施形態であるキッチンカウンターの一例を示した斜視図である。図２は、図１に示したキッチンカウンターのＡ−Ａ矢視断面図である。
【００１４】
図１に示したキッチン部材１は、キッチンカウンター１ａである。キッチンカウンター１ａを含むキッチン部材１は、熱硬化性樹脂に少なくとも充填材および撥水撥油剤が添加された樹脂組成物の成型品である。キッチン部材１は、図２に示したように、表面２が前記樹脂組成物のみから形成され、表面２の断面は、三角波状に凹凸した山部２ａと谷部２ｂを有している。山部２ａは、輪郭線３が表面２の外側に膨らむ曲線状の形状を有している。
【００１５】
キッチンカウンター１ａを含むキッチン部材１では、表面２の前記断面における最高位４と最低位５の高低差Δｈ１が50μm以上400μm以下の範囲内であることが好ましい。
【００１６】
一方、谷部２ｂでは、輪郭線１４が、表面２の内側に膨らむ曲線状であることが好ましい。
【００１７】
また、山部２ａと谷部２ｂのそれぞれ一つを一組とした場合、この組が、表面２において、5cm角の中に500組以上2000組以下の範囲内にあることが好ましい。
【００１８】
さらに、キッチン部材１の色が濃厚色であることが好ましい。
【００１９】
さらにまた、前記樹脂組成物は、繊維状の補強材が配合された繊維強化プラスチックであることが好ましい。
【００２０】
具体的には、キッチン部材１としてのキッチンカウンター１ａは、住宅などのキッチンに設置される厨房装置の天板を形成するものであり、図１に示したような横長の部材である。キッチンカウンター１ａの主体６は、平面視において長方形形状を有する平板部７から形成されている。平板部７には、表面２から裏面（図示なし）に貫通する第１の開口８と第２の開口９が形成されている。第１の開口８は、シンク（図示なし）が取り付けられる部位であり、第２の開口９は、ガス調理器や電磁調理器などの加熱調理器（図示なし）が取り付けられる部位である。
【００２１】
また、平板部７の長手方向の一端７ａには、キッチンカウンター１ａの表面２から垂直に立ち上がって延びるバックガード１０が設けられている。一端７ａに対向して位置する平板部７の他の長手方向の一端７ｂには、キッチンカウンター１ａの表面２から裏面側に向かって垂直に延びる幕板部１１が設けられている。
【００２２】
このようなキッチンカウンター１ａであるキッチン部材１を形成する前記樹脂組成物の主剤となる前記熱硬化性樹脂としては、特に制限はなく、公知の各種単量体やこの単量体と重合体の混合物などから適宜選択することができる。たとえば、不飽和ポリエステルなどのポリエステル系の樹脂をはじめ、メラミン（メタ）アクリレート、グリシジル（メタ）アクリレート、メチル（メタ）アクリレートなどのアクリル系樹脂が例示される。なお、（メタ）アクリルとの表記は、アクリルまたはメタアクリルを意味する。また、（メタ）アクリル系の単量体の具体的な例としては、メチル（メタ）アクリレート、エチル（メタ）アクリレート、ブチル（メタ）アクリレート、２−エチルヘキシル（メタ）アクリレート、ベンジル（メタ）アクリレートなどが挙げられる。この他、前記熱硬化性樹脂には、ビニルエステル系樹脂や、エポキシ系樹脂もその候補として挙げることができる。
【００２３】
前記熱硬化性樹脂に添加される前記充填材としては、一般に無機充填材が例示される。具体的には、水酸化アルミニウム、水酸化カルシウム、水酸化マグネシウム、粉末タルク、粉末石英、シリカ、珪藻土、石膏、粉末ガラス、大理石、石灰岩、ケイ酸アルミニウム、珪酸カルシウムまたはホウ砂が挙げられる。特にシリカは、キッチン部材１の表面２付近の硬度の向上に有効である。また、亜硫酸カルシウム、硫酸カルシウム、硫酸バリウム、二酸化ケイ素、方解石、酸化チタン、三酸化アンチモン、炭酸カルシウム、ニッケル粉、鉄粉、亜鉛粉、銅粉または酸化鉄も無機充填材の候補として挙げられる。さらに、ガラスビーズ、ガラス繊維またはシリカゲルも挙げられる。これらの無機充填材は、一種ばかりでなく、二種以上の混合物として熱硬化性樹脂に添加することができる。前記熱硬化性樹脂における前記充填材の添加割合は、一般には40質量％以上80質量％以下の範囲が例示される。
【００２４】
前記熱硬化性樹脂に添加される前記撥水撥油剤としては、各種のポリフルオロアルキル基を有するフッ素化合物、たとえば、含フッ素ウレタン化合物や含フッ素ポリマーなどを溶媒に、溶解した溶液または分散したエマルションが例示される。また、炭素数が４であるのＲＦ基とスルホニル基を有する含フッ素アルコールとポリイソシアネートとの反応生成物である含フッ素ウレタン化合物が例示される。さらに、炭素数が４以下であるＲＦ基と、その末端に水酸基を有する含フッ素アクリルオリゴマーとポリイソシアネートを反応させたウレタン化合物が例示される。さらにまた、炭素数が６以下であるポリフルオロアルキル部分を含有するフッ素モノオールおよび炭素数が１８以上であるアルカンモノオールを含むイソシアネート基と反応性を有する化合物と、以下に示す化合物（１）との反応生成物が例示される。
【００２５】
化合物（１）は、ジフェニルメタンジイソシアネートまたはポリメチレンポリフェニルイソシアネートのいずれか一種または二種である。
【００２６】
前記熱硬化性樹脂における前記撥水撥油剤の添加割合は、一般には0.1質量％以上10質量％以下の範囲が例示される。
【００２７】
また、前記樹脂組成物には、前記充填材および前記撥水撥油剤の他、キッチン部材１に要求される物性などに応じて、ガラス繊維、炭素繊維、樹脂繊維などの繊維状の補強材を配合することが可能である。さらに、硬化促進剤、抗菌剤、柄材、顔料などの各種成分の添加も可能である。前記補強材が添加された樹脂組成物は繊維補強プラスチックに分類される。前記補強材には、一般に、径が50μm以上200μm以下の範囲内、長さが0.2mm以上0.8mm以下の範囲内にある、いわゆる短繊維と呼ばれるものが用いられる。前記補強材としてのガラス繊維と前記充填材としてのガラス繊維とは、たとえばサイズなどが異なり、それぞれ別々の機能、すなわち、充填または補強という機能を果たす。
【００２８】
また、図１および図２に示したキッチンカウンター１ａは、顔料が添加された前記樹脂組成物の成型品であり、前記濃厚色を呈している。
【００２９】
以上のキッチンカウンター１ａであるキッチン部材１では、表面２が、前記熱硬化性樹脂に少なくとも前記充填材および前記撥水撥油剤が添加された前記樹脂組成物のみから形成されている。このため、表面２は、防汚性を確保するために抗菌剤などのコーティングが施されていないが、谷部２ｂに汚れ成分が貯留することがあっても、キッチン部材１の防汚性は、より一層効果的に、かつより簡便に実現される。
【００３０】
また、キッチンカウンター１ａであるキッチン部材１では、高温状態にあるフライパン、鍋などの調理器具（図示なし）が表面２の上に置かれても、前記調理器具の底部の裏面を、図２に示した表面２の前記断面における山部２ａのみで受けることができる。しかも、山部２ａは、その断面において表面２の外側に膨らむ曲線状の形状を有しているため、前記調理器具の前記底部の前記裏面との接触は点接触か点接触に近いものとなる。したがって、前記調理器具からの熱負荷は表面２の全面に達することはない。前記調理器具の前記底部の前記裏面とキッチン部材１の表面２の前記断面における谷部２ｂとの間には空気層が形成され、この空気層が断熱層として機能する。このため、高温状態にある前記調理機器を直置きしても、前記調理機器からの輻射熱は、表面２の前記断面における谷部２ｂの底部１２までは達しにくく、前記調理機器の前記底部の前記裏面からの伝熱による前記調理機器の跡が表面２に目立ちにくくなる。キッチン部材１の全体としての外観に与える影響は少ない。また、山部２ａの前記形状により、直置きされる前記調理器具の前記底部の前記裏面が傷つくのも抑制される。
【００３１】
前記効果は、山部２ａと谷部２ｂのそれぞれ一つを一組とした場合、この組を、表面２において、5cm角の中に500組以上2000組以下の範囲内にあるとより有効となる。
【００３２】
また、前記調理器具以外の鋭利なものでないものによって表面２が傷付けられたとしても、鋭利でないものも山部２ａのみで受けることができるため、キッチン部材１の全体として外観上に与える影響は少ない。なお、鋭利なものとの接触による傷は、表面２が前述のとおりに凹凸しているため、三角波状の形状に紛れやすく、付いた傷を傷として認識しにくい。したがって、傷が目立つということはあまりない。特に、前記樹脂組成物が、前記充填材としてシリカを添加したものである場合、表面２の付近の硬度を鉛筆硬度で9Hまで高めることができ、キッチン部材１はそもそも傷の付きにくいものとなる。
【００３３】
しかも、表面２の前記断面における最高位３と最低位４の高低差Δｈ１が50μm以上400μm以下の範囲内である場合、表面２に直置きした前記調理器具からの輻射熱は、表面２の谷部２ｂの底部１２までより達しにくくなる。したがって、キッチン部材１は耐熱性を確保することができる。また、高低差Δｈ１が前記数値範囲内にあれば、谷部２ｂに汚れ成分がたまりにくくなり、キッチン部材１、ひいてはキッチンカウンター１ａは手入れのしやすいものとなる。
【００３４】
また、図１および図２に示したように、前記熱硬化性樹脂に顔料が添加され、キッチン部材１の色が前記濃厚色であると、前述のとおり、表面２の前記凹凸の前記高低差、すなわち、最高位４と最低位５の高低差Δｈ１が50μm以上400μm以下の範囲内である場合、キッチン部材１は耐熱性に優れる。一般に、キッチンカウンター１ａなどのキッチン部材１の色が前記濃厚色であると、高温状態にある前記調理器具の直置きにともなう輻射熱を受け、表面２は、白化や艶変化などの外観上の問題となる跡が目立ちやすい。しかしながら、前述のとおり、キッチン部材１は耐熱性に優れているため、前記濃厚色を呈していても、表面２にそのような跡は付きにくい。したがって、キッチン部材１の色が前記濃厚色であればある程、跡が付きにくいという効果が顕在化する。もちろん、以上から明らかなように、キッチン部材１の色は淡白色であってもよい。
【００３５】
前記樹脂組成物に前記繊維強化プラスチックを適用する場合、従来のキッチン部材では、表面２が、摩耗などによるコーティングの経時的な変化にともない、研磨によって形成された表面において、前記熱硬化性樹脂に配合されたガラス繊維などの前記補強材が露出することもあり得る。この場合、露出した前記補強材に汚れ成分が付着する可能性がある。しかしながら、キッチン部材１の表面２は、注型成形によって形成された前記樹脂組成物のみから形成されるため、前記補強材の露出を抑制することができ、前記補強材の露出にともなう汚れ成分の前記補強材への付着が抑制される。
【００３６】
そして、キッチン部材１は、前述のとおりの表面２によって、石目調に類似する外観を呈し、天然石が有する高級感のある風合いを実現することができる。
【００３７】
なお、キッチン部材１の表面２の前記断面における谷部２ｂの輪郭線１４は、前述のとおり、表面２の内側に膨らむ曲線状とすることができる。この場合、表面２の前記断面である三角波状の前記凹凸は、正弦波または正弦波に近い形状となる。したがって、直線部分がないため、キッチン部材１の表面２の肌触りは、高低差Δｈ１の大きさと相俟って滑らかなものとなりやすい。
【００３８】
図３は、他のキッチンカウンターを図２と同様に示した要部断面図である。図３図中において図２に付した符号と同一の符号が付されている部位は、図１および図２に示したキッチンカウンター１ａとしてのキッチン部材１と同じ部位である。したがって、以下の説明では、同一符号を付した部位についての説明を省略する。
【００３９】
図３に示したキッチンカウンター１ａとしてのキッチン部材１では、表面１５が図２に示した表面２と若干相違している。相違点は、山部２ａの断面における輪郭線１６が、山部２ａの頂上部を除いて直線状になっていること、谷部２ｂの断面における輪郭線１７が直線状になっていること、および谷部２ｂの底部１８が鋭角状の形状を有していることである。
【００４０】
このような表面１５を有するキッチン部材１も、図２に示したキッチン部材１と同様な効果を奏する。図３に示したキッチン部材１は、図２に示したキッチン部材１と比較すると、底部１８に若干汚れ成分が溜まりやすくなりがちではある。しかしながら、キッチン部材１は、前述のとおり、表面１５は前記樹脂組成物のみから形成されているため、汚れ成分がたまったとしても、防汚性は、キッチン部材１と同程度となる。
【００４１】
また、図３に示したキッチン部材１の表面１５の肌触りは、図２に示したキッチン部材１の肌触りとやや異なる。ただし、表面１５の肌触りは、キッチン部材１を使用する使用者の感覚によるものであり、個人差があるので、図３に示したような表面１５であっても肌触りは、図２に示した表面２と遜色ないと感じる使用者もいると推測される。
【００４２】
図４（ａ）は、図１に示したキッチンカウンターを含むキッチン部材の製造に用いられる成形用の金型の一例を示した概略断面図であり、（ｂ）は、（ａ）に示した成形用の金型の下型を模式的に示した要部断面図である。
【００４３】
図１から図３に示した、たとえばキッチンカウンター１ａとして適用することのできるキッチン部材１は、前記樹脂組成物の注型成形によって形成される。この注型成形に使用される成形用の金型には、各種のものが使用可能であるが、図４（ａ）（ｂ）に示した成形用の金型１９は、下側に凹部２０を有する上型２１と、上側に凹部２２を有する下型２３とから形成される。上型２１は、その外周部に下方に突出する縁部２４を有し、下型２３も、その外周部に上方に突出する縁部２５を有している。凹部２０は縁部２４の内側に、また、凹部２２は縁部２５の内側に形成されている。上型２１は、上下方向に昇降可能とされ、降下して縁部２４が下型２３の縁部２５と重なり合うようになっている。縁部２４の下面と縁部２５の上面が重なり合うとき、凹部２０、２２は、前記樹脂組成物の仕込みを可能とするキャビティ３８を形成する。
【００４４】
また、成形用の金型１９では、上型２１および下型２３の両方とも、縁部２４、２５を除いた部分に、キャビティ３８内に仕込まれた前記樹脂組成物を硬化させる温水や熱水などの熱源を流通させる配管２６を内蔵している。熱源は、温水や熱水などの流体ばかりでなく、通電により発熱するヒーターなども適用可能であり、ヒーターを使用する場合には、配管２６に替え、ヒーター線を配線することができる。
【００４５】
また、下型２３では、縁部２５の一部に切欠部２７が形成されている。切欠部２７は、縁部２４、２５が重なり合うときに、キャビティ３８内への前記樹脂組成物の仕込みを注入により行うための注入口として機能する。
【００４６】
このような成形用の金型１９では、上型２１の凹部２０の上面２８に成形面２９が、また、下型２３の凹部２２の下面３０に成形面３１が形成されている。図２および図３に示したキッチン部材１の表面２、１５を成形する成形面が成形面３１である。したがって、成形面３１は、キッチン部材１の表面２、１５に対応する形状に形成される。すなわち、図４（ｂ）に示したように、成形面３１は、たとえば、図２に示したキッチン部材１の表面２を形成することができるように、その断面において三角波状に凹凸した形状を有している。
【００４７】
すなわち、成形面３１では、その断面においてキッチン部材１の表面２の前記断面における山部２ａに対応する部分が谷部３１ａであり、谷部３１ａの輪郭線３２は、成形面３１の内側に膨らむ曲線状となっている。また、成形面３１では、その断面においてキッチン部材１の表面２の前記断面における谷部２ｂに対応する部分が山部３１ｂであり、山部３１ｂの輪郭線３３は、成形面３１の外側に膨らむ曲線状となっている。成形面３１の前記断面における最高位３６と最低位３７の高低差Δｈ２は、図２および図３に示したキッチン部材１の表面の高低差Δｈ１に対応させることができ、50μm以上400μm以下とすることができる。同じく、山部３１ｂと谷部３１ａのそれぞれ一つを一組とした場合、この組が、成形面３１において、5cm角の中に500組以上2000組以下の範囲内にあるようにすることができる。
【００４８】
このような成形用の金型１９を形成する上型２１および下型２３の材質はともに、たとえばSCM440などの鋼とすることができる。
【００４９】
図５（ａ）（ｂ）は、それぞれ、図４（ｂ）に示した下型を作製するプロセスを模式的に示した要部工程断面図である。図５（ａ）（ｂ）の図中において、図４（ｂ）に付した符号と同一の符号が付されている部位は、図４（ｂ）に示した下型２３と同じ部位である。したがって、以下の説明では、同一符号を付した部位についての説明を省略する。
【００５０】
図４（ｂ）に示した下型２３を作製する場合には、図５（ａ）に示したように、下型２３の凹部２２における加工前のフラットな上面部に対して、たとえばフォトエッチングなどのエッチング加工を施す。このエッチング加工によって、図４（ｂ）に示した谷部３１ａに対応する部分が凹部３４となる凹凸パターンが形成される。形成された凹凸パターンは、図４（ｂ）に示した成形面３１と異なり、その断面は、曲線状ではなく、直線状であり、成形面３１は角張った部分３５を有する。
【００５１】
前記エッチング加工後、図４（ｂ）に示した成形面３１となるように、すなわち、成形面３１の前記断面における谷部３１ａの輪郭線３２が成形面３１の内側に膨らむ曲線状となり、山部３１ｂの輪郭線３３が成形面３１の外側に膨らむ曲線状となるように化学研磨を施す。この化学研磨は、一般に化学研磨液によって行うことができる。使用可能な化学研磨液は、下型２３の材質によって適宜なものを選択することができる。前記化学研磨によって、図５（ｂ）に示したように、成形面３１に谷部３１ａおよび山部３１ｂが形成され、角張った部分３５が曲面状とされて図４（ｂ）に示した下型２３が作製される。
【００５２】
図１および図２に示したキッチンカウンター１ａを含むキッチン部材１を製造する際には、図４（ａ）に示したように、成形用の金型１９において、上型２１を下型２３に向けて降下させ、縁部２４の前記下面と縁部２５の前記上面とを重ね合わせる。そして、上型２１の凹部２０と下型２３の凹部２２とによってキャビティ３８を形成し、切欠部２７による注入口から前記樹脂組成物を注入する。または、上型２１の降下前に、下型２３の成形面３１の山部３１ｂの上に前記樹脂組成物の成形品を配置し、この後、上型２１を下型２３に向けて降下させ、縁部２４の前記下面と縁部２５の前記上面とを重ね合わせる。いずれの場合にも、前記樹脂組成物はキャビティ３８内に仕込まれる。後者の場合、前記樹脂組成物の成形品の形状は、シート状、板状、粉状や粒状のものが一塊となった形状とすることができる。前記樹脂組成物が、前記補強材が配合された繊維補強プラスチックである場合、前記成形品としては、SMC(Sheet Molding Compound)またはBMC(Bulk Molding Compound)を使用することができる。次いで、上型２１および下型２３に内蔵された配管２６に温水、熱水などの熱源を流通させ、キャビティ３８内に仕込まれた前記樹脂組成物を加熱し、かつ上型２１および下型２３によって前記樹脂組成物を圧締してプレス成型する。所定時間が経過し、前記樹脂組成物が硬化した後に、上型２１を上昇させ、下型２３と分離し、下型２３に残った成型品を取り出す。取り出された成型品がキッチン部材１である。プレス成型の条件、すなわち、温度、圧力および時間は、キャビティ３８内に仕込んだ前記樹脂組成物の化学成分組成などによって適当なものを選定する。一般には、120℃以上170℃以下の範囲、5MPa以上12MPa以下の範囲、3分以上15分以下の範囲が例示される。
【００５３】
すなわち、キッチン部材１の製造方法において、上型２１と下型２３からなる成形用の金型１９の内、下型２３の成形面３１は、エッチング加工によって形成された凹凸パターンにおいて角張った部分３５が化学研磨により曲面状に成形されている。そして、キッチン部材１の製造方法は、前記樹脂組成物がキャビティ３８内に仕込まれ、上型２１と下型２３により前記樹脂組成物を加熱しながら圧締して硬化させた後、成型品の表面をコーティングしないでキッチン部材１を製造する。
【００５４】
このように、キッチン部材１の製造方法は、注型成形によって、図２および図３に示したように、前記断面が三角波状に凹凸した表面２、１５を有するキッチン部材１を形成するものであり、成型品の表面を研磨によって凹凸を形成する方法とは本質的に異なる。成型品を研磨によって凹凸した表面を形成する場合、この表面において前記樹脂組成物が一部除去されるため、前記樹脂組成物に添加した前記充填材や前記補強材などと前記熱硬化性樹脂との界面が、前記成型品の前記表面に露出しやすくなる。その結果、前記界面からの汚れ成分が入り込み、防汚性が低下しやすくなる。特に繊維強化プラスチックを前記樹脂組成物に適用する場合、配合されたガラス繊維などの前記補強材が露出し、前記補強材に汚れ成分が付着することがある。
【００５５】
しかしながら、図４（ａ）（ｂ）に示した成形用の金型１９を用いるキッチン部材１の製造方法では、図２および図３に示したように、キッチン部材１の表面２、１５は、前記樹脂組成物のみから形成され、かつ前記断面は、三角波状に凹凸した山部２ａと谷部２ｂを有する。また、前記撥水撥油剤が前記樹脂組成物に添加されている。このため、前述のとおりのコーティングは不要であり、防汚性がより一層向上したキッチン部材１の製造がより一層容易に実現される。しかも、製造されるキッチン部材１の凹凸した表面２、１５は、前記断面において三角波状に凹凸するものであり、この凹凸は、前記樹脂組成物に添加した前記充填材などにより自然発生するものではない。このため、表面２、１５の性状は、キッチン部材１の表面２、１５の全体においてほぼ等しい。したがって、品質に優れたキッチン部材１を安定して製造することも可能となる。防汚性を確保するために抗菌剤などを前記成型品の前記表面にコーティングする手間が省ける。
【００５６】
また、前述のとおり、前記樹脂組成物に前記繊維強化プラスチックを適用する場合、従来のキッチン部材では、前記表面が、摩耗などによるコーティングの経時的な変化にともない、研磨によって形成された前記表面において、前記熱硬化性樹脂に配合されたガラス繊維などの前記補強材が露出することもあり得る。この場合、露出した前記補強材に汚れ成分が付着する可能性がある。しかしながら、図４（ａ）（ｂ）に示したキッチン部材の製造方法は、キッチン部材１の表面２、１５を、注型成形によって形成された前記繊維強化プラスチックのみから形成する。このため、前記補強材の露出を抑制することができ、前記補強材の露出にともなう汚れ成分の前記補強材への付着が抑制される。
【００５７】
なお、図３に示したキッチン部材１の製造方法は、図２に示したキッチン部材１の製造方法と基本的に同様とすることができる。図４（ａ）に示した成形用の金型１９において、下型２３の成形面３１をキッチン部材１の表面１５に対応した形状に変更するのみでよい。
【００５８】
本発明は、以上の実施形態に限定されない。キッチン部材は、キッチンカウンターの他、シンクなどにも適用可能である。また、キッチン部材を形成する前記樹脂組成物の化学成分組成は特に限定されない。キッチン部材に要求される特性などに応じて適当なものを選択することができる。
【符号の説明】
【００５９】
１  キッチン部材
２、１５  表面
２ａ  山部
２ｂ  谷部
３、１６  山部の輪郭線
４  最高位
５  最低位
１４、１７  谷部の輪郭線
Δｈ１  高低差
【図１】
2018047139.tif 000003
【図２】
2018047139.tif 000004
【図３】
2018047139.tif 000005
【図４】
2018047139.tif 000006
【図５】
2018047139.tif 000007